(57)【要約】【課題】書籍のページをスキャンしたデータからそのページの原本画像データを迅速に検索する。【解決手段】出版済みの書籍の各ページの原本画像データが画像特徴情報と当該書籍の識別情報とに関連付けて登録されているデータベースを管理するサーバと、スキャナ機能を備えた書籍処理装置と、書籍の購入履歴をユーザ毎に管理する書店端末と、を含む書籍管理システムであって、書籍処理装置は、ユーザの書籍の所定のページをスキャンしたページ画像データから画像特徴情報を抽出し、書店端末からユーザが以前に購入した書籍のリストを取得し、リストと画像特徴情報をサーバに送信し、サーバは、書籍処理装置からリストと画像特徴情報を取得し、データベースに登録された書籍の内、リストに含まれる書籍の中から画像特徴が合致する原本画像データを検索し、検索した原本画像データを書籍処理装置に送信する。【選択図】図５
2012022607.tif 000002
【特許請求の範囲】
【請求項１】
出版された各書籍の各ページの原本画像データが、当該原本画像データから抽出された画像特徴情報と当該書籍の識別情報とに関連付けて登録されているデータベースに接続された書籍処理装置であって、
スキャナ機能と、
ユーザが所有する書籍の所定のページをスキャンして得たページ画像データから画像特徴情報を抽出する機能と、
前記ユーザが以前に購入した書籍のリストを取得する機能と、
前記データベースに登録された書籍の内、前記リストに含まれる書籍の中から、前記画像特徴情報が合致する原本画像データを検索して取得する機能と、を備える、ことを特徴とする書籍処理装置。
【請求項２】
更に、取得した前記原本画像データを用紙に印刷する印刷機能を備える、ことを特徴とする請求項１に記載の書籍処理装置。
【請求項３】
出版された各書籍の各ページの原本画像データが、当該原本画像データから抽出された画像特徴情報と当該書籍の識別情報とに関連付けて登録されているデータベースを管理するサーバと、スキャナ機能を備えた書籍処理装置と、書籍の購入履歴をユーザ毎に管理する書店端末と、が通信ネットワークで接続された書籍管理システムであって、
前記書籍処理装置は、
ユーザが所有する書籍の所定のページをスキャンして得たページ画像データから画像特徴情報を抽出する機能と、
前記書店端末にアクセスして、前記ユーザが以前に購入した書籍のリストを取得する機能と、
前記サーバにアクセスして、前記データベースに登録された書籍の内、前記リストに含まれる書籍の中から、前記画像特徴情報が合致する原本画像データを検索して取得する機能と、を備える、ことを特徴とする書籍管理システム。
【請求項４】
出版された各書籍の各ページの原本画像データが、当該原本画像データから抽出された画像特徴情報と当該書籍の識別情報とに関連付けて登録されているデータベースを管理するサーバと、スキャナ機能を備えた書籍処理装置と、書籍の購入履歴をユーザ毎に管理する書店端末と、が通信ネットワークで接続された書籍管理システムであって、
前記書籍処理装置は、
ユーザが所有する書籍の所定のページをスキャンして得たページ画像データから画像特徴情報を抽出する機能と、
前記書店端末にアクセスして、前記ユーザが以前に購入した書籍のリストを取得する機能と、
前記リストと前記画像特徴情報とを前記サーバに送信する機能と、を備え、
前記サーバは、
前記書籍処理装置から、前記リストと前記画像特徴情報とを取得する機能と、
前記データベースに登録された書籍の内、前記リストに含まれる書籍の中から、前記画像特徴情報が合致する原本画像データを検索する機能と、
検索した前記原本画像データを前記書籍処理装置に送信する機能と、を備える、ことを特徴とする書籍管理システム。
【請求項５】
出版された各書籍を管理するサーバと、スキャナ機能を備えた書籍処理装置と、書籍の購入履歴をユーザ毎に管理する書店端末と、が通信ネットワークで接続された書籍管理システムであって、
前記書籍処理装置は、
ユーザが所有する書籍の所定のページをスキャンしてページ画像データを取得する機能と、
前記書店端末にアクセスして、前記ユーザが以前に購入した書籍のリストを取得する機能と、
前記リストと前記ページ画像データとを前記サーバに送信する機能と、を備え、
前記サーバは、
前記出版された各書籍の各ページの原本画像データから画像特徴情報を抽出し、前記原本画像データと前記画像特徴情報と当該書籍の識別情報とを関連付けてデータベースに登録する機能と、
前記書籍処理装置から、前記リストと前記ページ画像データとを取得する機能と、
取得した前記ページ画像データから画像特徴情報を抽出する機能と、
前記データベースに登録された書籍の内、前記リストに含まれる書籍の中から、前記画像特徴情報が合致する原本画像データを検索する機能と、
検索した前記原本画像データを前記書籍処理装置に送信する機能と、を備える、ことを特徴とする書籍管理システム。
【請求項６】
前記書籍処理装置は、前記サーバから取得した前記原本画像データを用紙に印刷する印刷機能を備える、ことを特徴とする請求項３乃至５のいずれか一に記載の書籍管理システム。
【請求項７】
出版された各書籍を管理するデータベースを有するサーバと、スキャナ機能を備えた書籍処理装置と、書籍の購入履歴をユーザ毎に管理する書店端末と、が通信ネットワークで接続されたシステムにおける書籍管理方法であって、
前記出版された各書籍の各ページの原本画像データから画像特徴情報を抽出し、前記原本画像データと前記画像特徴情報と当該書籍の識別情報とを関連付けて前記データベースに登録するステップと、
前記書籍処理装置の前記スキャナ機能を用いて、ユーザが所有する書籍の所定のページをスキャンしてページ画像データを取得し、当該ページ画像データから画像特徴情報を抽出するステップと、
前記書籍処理装置が、前記書店端末にアクセスして、前記ユーザが以前に購入した書籍のリストを取得するステップと、
前記書籍処理装置が、前記サーバにアクセスして、前記データベースに登録された書籍の内、前記リストに含まれる書籍の中から、前記画像特徴情報が合致する原本画像データを検索して取得するステップと、を有する、ことを特徴とする書籍管理方法。
【請求項８】
出版された各書籍を管理するデータベースを有するサーバと、スキャナ機能を備えた書籍処理装置と、書籍の購入履歴をユーザ毎に管理する書店端末と、が通信ネットワークで接続されたシステムにおける書籍管理方法であって、
前記出版された各書籍の各ページの原本画像データから画像特徴情報を抽出し、前記原本画像データと前記画像特徴情報と当該書籍の識別情報とを関連付けて前記データベースに登録するステップと、
前記書籍処理装置の前記スキャナ機能を用いて、ユーザが所有する書籍の所定のページをスキャンしてページ画像データを取得し、当該ページ画像データから画像特徴情報を抽出するステップと、
前記書籍処理装置が、前記書店端末にアクセスして、前記ユーザが以前に購入した書籍のリストを取得するステップと、
前記書籍処理装置が、前記サーバに前記リストと前記画像特徴情報とを送信するステップと、
前記サーバが、前記書籍処理装置から前記リストと前記画像特徴情報とを受信するステップと、
前記サーバが、前記データベースに登録された書籍の内、前記リストに含まれる書籍の中から、前記画像特徴情報が合致する原本画像データを検索するステップと、
前記サーバが、前記書籍処理装置に検索した前記原本画像データを送信するステップと、を有する、ことを特徴とする書籍管理方法。
【請求項９】
出版された各書籍を管理するデータベースを有するサーバと、スキャナ機能を備えた書籍処理装置と、書籍の購入履歴をユーザ毎に管理する書店端末と、が通信ネットワークで接続されたシステムにおける書籍管理方法であって、
前記出版された各書籍の各ページの原本画像データから画像特徴情報を抽出し、前記原本画像データと前記画像特徴情報と当該書籍の識別情報とを関連付けて前記データベースに登録するステップと、
前記書籍処理装置の前記スキャナ機能を用いて、ユーザが所有する書籍の所定のページをスキャンしてページ画像データを取得するステップと、
前記書籍処理装置が、前記書店端末にアクセスして、前記ユーザが以前に購入した書籍のリストを取得するステップと、
前記書籍処理装置が、前記サーバに前記リストと前記ページ画像データとを送信するステップと、
前記サーバが、前記書籍処理装置から前記リストと前記ページ画像データとを受信するステップと、
前記サーバが、取得した前記ページ画像データから画像特徴情報を抽出するステップと、
前記サーバが、前記データベースに登録された書籍の内、前記リストに含まれる書籍の中から、前記画像特徴情報が合致する原本画像データを検索するステップと、
前記サーバが、前記書籍処理装置に検索した前記原本画像データを送信するステップと、を有する、ことを特徴とする書籍管理方法。
【請求項１０】
更に、前記書籍処理装置が、前記サーバから前記原本画像データを取得し、当該原本画像データを用紙に印刷するステップを有する、ことを特徴とする請求項７乃至９のいずれか一に記載の書籍管理方法。
【発明の詳細な説明】
【技術分野】
【０００１】
本発明は、書籍処理装置及び書籍管理システム並びに書籍管理方法に関し、特に、書籍のページを読み取るスキャナ機能を備える書籍処理装置及び当該書籍処理装置と書籍の原本画像データを管理するデータセンターとを含む書籍管理システム並びに当該書籍管理システムを用いて書籍の所定のページの原本画像データを検索して提供する書籍管理方法に関する。
【背景技術】
【０００２】
書籍内のページをコピーする際に、書籍のページ自体の汚れや原稿ガラスの汚れによって綺麗にコピーできないことがある。また、書籍のページにマーカ等で記入した場合には、元の綺麗なページを印刷することはできない。そこで、書籍のページをコピーする際に、スキャンした画像ではなく、製本時の鮮明な原本画像データをデータセンターからダウンロードして印刷することで鮮明な印刷出力を得る方法が提案されている。
【０００３】
例えば、下記特許文献１には、書籍の紙面の一部をデジタル情報として読み取る情報読み取り手段と、書籍のページ毎の販売価格が予め記憶された価格データベースと、デジタル情報から、書籍の販売対象ページを特定する書籍特定手段と、価格データベースを参照して、販売対象ページの販売価格を取得する価格取得手段と、販売価格の決済を行う課金手段と、課金手段により販売価格の決済が終了した時点で、情報読み取り手段により読み取ったデジタル情報に基づいて、販売対象ページを出力する出力手段とを備えた書籍販売システムが開示されている。
【先行技術文献】
【特許文献】
【０００４】
【特許文献１】特開２００５−１３５１７５号公報
【発明の概要】
【発明が解決しようとする課題】
【０００５】
特許文献１の技術は、書籍内のページをスキャンし、ページ上のバーコード又はページを特定する文字列を読み取り、そのページ特定データをデータセンターに送り、データセンターは、ページ特定データを用いてそのページの原本画像データを特定するものであるが、この方法では、バーコードやページを特定する文字列が付加されていない既存の書籍に対して原本画像データを提供することはできない。
【０００６】
一方、バーコードやページを特定する文字列ではなく、ページ画像を解析して抽出した画像特徴情報を用いてページを特定する方法もある。しかしながら、この方法では、書籍を限定することができないため、データベースに登録されている大量の書籍の大量のページの中から画像特徴情報が一致するページを特定しなければならず、検索に多大な時間がかかってしまうという問題がある。
【０００７】
本発明は、上記問題点に鑑みてなされたものであって、その主たる目的は、書籍のページをスキャンしたデータからそのページの原本画像データを迅速に検索することができる書籍処理装置及び書籍管理システム並びに書籍管理方法を提供することにある。
【課題を解決するための手段】
【０００８】
上記目的を達成するため、本発明は、出版された各書籍の各ページの原本画像データが、当該原本画像データから抽出された画像特徴情報と当該書籍の識別情報とに関連付けて登録されているデータベースに接続された書籍処理装置であって、スキャナ機能と、ユーザが所有する書籍の所定のページをスキャンして得たページ画像データから画像特徴情報を抽出する機能と、前記ユーザが以前に購入した書籍のリストを取得する機能と、前記データベースに登録された書籍の内、前記リストに含まれる書籍の中から、前記画像特徴情報が合致する原本画像データを検索して取得する機能と、を備えるものである。
【０００９】
また、本発明は、出版された各書籍の各ページの原本画像データが、当該原本画像データから抽出された画像特徴情報と当該書籍の識別情報とに関連付けて登録されているデータベースを管理するサーバと、スキャナ機能を備えた書籍処理装置と、書籍の購入履歴をユーザ毎に管理する書店端末と、が通信ネットワークで接続された書籍管理システムであって、前記書籍処理装置は、ユーザが所有する書籍の所定のページをスキャンして得たページ画像データから画像特徴情報を抽出する機能と、前記書店端末にアクセスして、前記ユーザが以前に購入した書籍のリストを取得する機能と、前記リストと前記画像特徴情報とを前記サーバに送信する機能と、を備え、前記サーバは、前記書籍処理装置から、前記リストと前記画像特徴情報とを取得する機能と、前記データベースに登録された書籍の内、前記リストに含まれる書籍の中から、前記画像特徴情報が合致する原本画像データを検索する機能と、検索した前記原本画像データを前記書籍処理装置に送信する機能と、を備えるものである。
【００１０】
また、本発明は、出版された各書籍を管理するデータベースを有するサーバと、スキャナ機能を備えた書籍処理装置と、書籍の購入履歴をユーザ毎に管理する書店端末と、が通信ネットワークで接続されたシステムにおける書籍管理方法であって、前記出版された各書籍の各ページの原本画像データから画像特徴情報を抽出し、前記原本画像データと前記画像特徴情報と当該書籍の識別情報とを関連付けて前記データベースに登録するステップと、前記書籍処理装置の前記スキャナ機能を用いて、ユーザが所有する書籍の所定のページをスキャンしてページ画像データを取得し、当該ページ画像データから画像特徴情報を抽出するステップと、前記書籍処理装置が、前記書店端末にアクセスして、前記ユーザが以前に購入した書籍のリストを取得するステップと、前記書籍処理装置が、前記サーバに前記リストと前記画像特徴情報とを送信するステップと、前記サーバが、前記書籍処理装置から前記リストと前記画像特徴情報とを受信するステップと、前記サーバが、前記データベースに登録された書籍の内、前記リストに含まれる書籍の中から、前記画像特徴情報が合致する原本画像データを検索するステップと、前記サーバが、前記書籍処理装置に、検索した前記原本画像データを送信するステップと、を有するものである。
【発明の効果】
【００１１】
本発明の書籍処理装置及び書籍管理システム並びに書籍管理方法によれば、書籍のページをスキャンしたデータからそのページの原本画像データを迅速に検索することができる。
【００１２】
その理由は、データセンターでは、予め出版社から出版された各書籍の各ページの原本画像データを解析して画像特徴情報を抽出し、原本画像データと画像特徴情報と書籍の識別情報とを関連付けてデータベースに登録しておき、スキャナ機能を備えた書籍処理装置では、自身が購入した書籍のリストを取得すると共に、書籍の所定のページをスキャンしたページ画像データを解析して画像特徴情報を抽出し、書籍処理装置又はデータセンターでは、データベースに登録された書籍の内、リストに含まれる書籍の中から、画像特徴情報が合致する原本画像データを検索して取得するからである。
【００１３】
また、書籍処理装置では、自身が購入した書籍のリストを取得すると共に、書籍の所定のページをスキャンしてページ画像データを取得し、データセンターでは、ページ画像データを解析して画像特徴情報を抽出し、データベースに登録された書籍の内、リストに含まれる書籍の中から、画像特徴情報が合致する原本画像データを検索して取得するからである。
【図面の簡単な説明】
【００１４】
【図１】本発明の一実施例に係る書籍管理システムの全体構成を模式的に示す図である。
【図２】本発明の一実施例に係る書籍処理装置の構成を示すブロック図である。
【図３】本発明の一実施例に係るデータセンターの構成を示すブロック図である。
【図４】本発明の一実施例に係る書籍管理システムの処理の概要を示す図である。
【図５】本発明の一実施例に係る書籍処理装置とデータセンターの処理を示す図である。
【図６】本発明の一実施例に係る画像特徴情報の抽出処理を説明する図である。
【図７】本発明の一実施例に係る書籍処理装置の動作を示すフローチャート図である。
【図８】本発明の一実施例に係るデータセンターの動作を示すフローチャート図である。
【発明を実施するための形態】
【００１５】
背景技術で示したように、書籍のページをコピーする際に、スキャンした画像ではなく、製本時の鮮明な原本画像データをデータセンターからダウンロードして印刷する方法があるが、スキャンした画像から抽出した画像特徴情報を用いてページを特定する場合、検索対象となる書籍は非常に多く、また、１つの書籍の中にも多数のページがあるため、所定のページの原本画像データを検索するために多大な時間を要するという問題がある。
【００１６】
そこで、本発明の一実施の形態では、ユーザの書籍購入履歴を参照し、ユーザが所有する書籍を絞り込むことで効率的にページを検索できるようにする。具体的には、スキャン機能を有する書籍処理装置と出版された書籍を管理するデータセンターと書籍の購入履歴をユーザ毎に管理する書店端末とを含む書籍管理システムにおいて、データセンターのデータベースに、出版社から出版された各書籍の各ページの原本画像データと、当該原本画像データから抽出した画像特徴情報と、当該書籍の識別情報とを関連付けて登録しておき、書籍処理装置は、購入した書籍の所定のページをスキャンしたページ画像データから画像特徴情報を抽出すると共に、書店端末から自身が購入した書籍のリストを取得し、書籍処理装置又はデータセンターでは、データベースに登録された書籍の内、リストに含まれる書籍の中から、画像特徴情報が合致する原本画像データを検索して取得する。
【００１７】
これにより、検索範囲を大幅に狭めることができるため、ページを特定するための検索処理を迅速に行うことができる。また、データセンターには、書籍のリストを送信し、ユーザ情報を送信しないため、ユーザのプライバシーを確実に保護することができる。
【００１８】
また、書籍のページをコピーすると、そのコピーに応じて書籍の権利者に複写権料が支払われるが、この仕組みは、日本複写権センターが協賛企業から複写権料を一括徴収し、それをコピーした枚数に応じて書籍の権利者に分配するものである。ここで、権利者に分配する割合は、指定の図書館等で代表的にサンプリングした結果に応じて定められ、日本複写権センターはユーザが提出したコピー依頼用紙を集計し、その割合を日本全体の割合とみなしている。しかしながら、この方法ではサンプル数が少ないため、日本全体のコピーの実態と一致していない恐れがある。
【００１９】
この問題に対しても、本願では、データセンターにコピーの実態が集積されるので、実態に応じた複写権利の管理を行なうことができる。
【実施例】
【００２０】
上記した本発明の実施の形態についてさらに詳細に説明すべく、本発明の一実施例に係る書籍処理装置及び書籍管理システム並びに書籍管理方法について、図１乃至図８を参照して説明する。図１は、本実施例の書籍管理システムの全体構成を模式的に示す図であり、図２は、書籍処理装置の構成を示すブロック図、図３は、データセンターの構成を示すブロック図である。また、図４は、本実施例の書籍管理システムの処理の概要を示す図であり、図５は、書籍処理装置とデータセンターの処理を示す図である。また、図６は、画像特徴情報の抽出処理を説明する図であり、図７は、書籍処理装置の動作を示すフローチャート図、図８は、データセンターの動作を示すフローチャート図である。
【００２１】
図１に示すように、本実施例の書籍管理システム１０は、スキャナ装置や複合機（ＭＦＰ：Multi Function Peripheral）などの装置（書籍処理装置２０と呼ぶ。）と、書籍の各ページのオリジナル画像データ（原本画像データと呼ぶ。）を管理するサーバ（データセンター３０と呼ぶ。）と、書籍を販売する書店のコンピュータ装置（書店端末４０と呼ぶ。）と、書籍を出版する出版社のコンピュータ装置（出版社端末５０と呼ぶ。）とで構成され、これらはＬＡＮ（Local Area Network）やＷＡＮ（Wide Area Network）など通信ネットワークを介して接続されている。以下、各装置の構成について詳細に説明する。
【００２２】
［書籍処理装置］
図２に示すように、書籍処理装置２０は、制御部２１、記憶部２２、表示部２３、操作部２４、スキャナ部２５、印刷部２６、通信Ｉ／Ｆ部２７などで構成される。
【００２３】
制御部２１は、ＣＰＵ（Central Processing Unit）とＲＡＭ（Random Access Memory）やＲＯＭ（Read Only Memory）などのメモリとで構成され、ＣＰＵは、ＲＯＭや記憶部２２に記憶したプログラムをＲＡＭに展開して実行し、書籍処理装置２０全体を制御する。また、制御部２１は、スキャナ部２５で読み取ったページ画像データを解析し、ページを特定可能な特徴を現す情報（画像特徴情報と呼ぶ。）を抽出する画像特徴抽出部２１ａ、自身が購入した書籍の識別情報（例えば、ＩＳＢＮ（International Standard Book Number、世界共通で書籍を特定するための番号））を記述したデータ（書籍リストと呼ぶ。）及び画像特徴情報を必要に応じて暗号化すると共に、データセンター３０から受信したデータを必要に応じて復号化し、スキャナ部２５で読み取ったページに対応する原本画像データを取得するデータ処理部２１ｂとしても機能する。
【００２４】
記憶部２２は、ＲＡＭやＨＤＤ（Hard Disk Drive）などで構成され、スキャナ部２５で読み取ったページ画像データや制御部２１で生成した画像特徴情報、書店端末４０から取得した書籍リスト、各種設定情報、ユーザ情報などを保存する。
【００２５】
表示部２３は、ＬＣＤ（Liquid Crystal Display）や有機ＥＬ（electroluminescence）ディスプレイなどであり、スキャンや印刷などの機能を実現するための画面、ユーザ情報を入力するための画面などを表示する。
【００２６】
操作部２４は、ハードキーや表示部２３上のタッチパネルであり、スキャンや印刷などの機能に対する各種指示、ユーザ情報の入力などを可能にする。
【００２７】
スキャナ部２５は、原稿台上の書籍からページ画像データを光学的に読み取る部分であり、書籍を走査する光源と、書籍で反射された光を電気信号に変換するＣＣＤ（Charge Coupled Devices）等のイメージセンサと、電気信号をＡ／Ｄ変換するＡ／Ｄ変換器等により構成される。
【００２８】
印刷部２６は、データセンター３０から取得した原本画像データを用紙に転写する。具体的には、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから紙媒体に２次転写し、更に定着装置で紙媒体にトナー像を定着させる処理を行う。
【００２９】
通信Ｉ／Ｆ部２７は、ＮＩＣ（Network Interface Card）やモデムなどのインターフェースであり、データセンター３０や書店端末４０との通信を確立する。
【００３０】
なお、本実施例では、書籍処理装置２０にスキャナ機能と印刷機能を備えた構成としているが、書籍処理装置２０は、制御部２１と記憶部２２とスキャナ部２５と通信Ｉ／Ｆ部２７を備えた装置（スキャナ機能を備えた装置）であればよく、表示部２３や操作部２４、印刷部２６などは省略してもよい。また、書店が発行した会員証を読み取るための磁気テープリーダやＲＦＩＤリーダ、ＡＤＦ（Auto Document Feeder）、パンチやステープルなどを行う後処理部、ファクシミリ通信を行うＦａｘ部などを備えていてもよい。
【００３１】
［データセンター］
図３に示すように、データセンター３０は、制御部３１、記憶部３２、通信Ｉ／Ｆ部３３などで構成される。
【００３２】
制御部３１は、ＣＰＵとＲＡＭやＲＯＭなどのメモリとで構成され、ＣＰＵは、ＲＯＭや記憶部３２に記憶したプログラムをＲＡＭに展開して実行し、データセンター３０全体を制御する。また、制御部３１は、出版社端末５０から取得した出版済みの書籍の各ページの原本画像データを解析して画像特徴情報を抽出して書籍ＤＢに登録すると共に、書籍処理装置２０から受信した書籍リスト及び画像特徴情報に基づいて、書籍リストで特定される書籍の各ページに対して画像特徴情報を比較し、書籍処理装置２０でスキャンしたページに対応する原本画像データを抽出するデータベース管理部３１ａと、書籍処理装置２０から受信した書籍リスト及び画像特徴情報を必要に応じて復号化すると共に、抽出した原本画像データを暗号化するデータ処理部３１ｂとしても機能する。
【００３３】
記憶部３２は、ＲＡＭやＨＤＤなどで構成され、出版社端末５０から取得した書籍の各ページの原本画像データを、原本画像データから抽出した画像特徴情報、書籍の識別情報（例えば、ＩＳＢＮ）に関連付けて書籍ＤＢに登録する。
【００３４】
通信Ｉ／Ｆ部３３は、ＮＩＣやモデムなどのインターフェースであり、書籍処理装置２０や出版社端末５０との通信を確立する。
【００３５】
［書店端末］
書店端末４０は、制御部、記憶部、通信Ｉ／Ｆ部などで構成される（図示せず）。
【００３６】
制御部は、ＣＰＵとＲＡＭやＲＯＭなどのメモリとで構成され、ＣＰＵは、ＲＯＭや記憶部に記憶したプログラムをＲＡＭに展開して実行し、書店端末４０全体を制御する。また、制御部は、書籍処理装置２０から受信したユーザ情報に基づいて、そのユーザが購入した書籍リスト及び購入証明書を作成して書籍処理装置２０に送信する。
【００３７】
記憶部は、ＲＡＭやＨＤＤなどで構成され、書籍の購入履歴をユーザに関連付けて記憶する。
【００３８】
通信Ｉ／Ｆ部３３は、ＮＩＣやモデムなどのインターフェースであり、書籍処理装置２０との通信を確立する。
【００３９】
［出版社端末］
出版社端末５０は、制御部、記憶部、通信Ｉ／Ｆ部などで構成される（図示せず）。
【００４０】
制御部は、ＣＰＵとＲＡＭやＲＯＭなどのメモリとで構成され、ＣＰＵは、ＲＯＭや記憶部に記憶したプログラムをＲＡＭに展開して実行し、出版社端末５０全体を制御する。また、制御部は、出版している書籍の原本画像データを書籍の識別情報（例えば、ＩＳＢＮ）に関連付けてデータセンター３０に送信する。
【００４１】
記憶部は、ＲＡＭやＨＤＤなどで構成され、出版している各書籍の各ページの原本画像データを記憶する。
【００４２】
通信Ｉ／Ｆ部３３は、ＮＩＣやモデムなどのインターフェースであり、データセンター３０との通信を確立する。
【００４３】
なお、本実施例では、書籍処理装置２０からデータセンター３０に書籍リストと画像特徴情報を送信し、データセンターで書籍リストと画像特徴情報に基づいて原本画像データを検索する構成とするが、書籍処理装置２０がデータセンター３０の書籍データベースにアクセスし、書籍リストと画像特徴情報に基づいて原本画像データを検索する（すなわち、データセンター３０のデータベース管理部３１ａの機能を書籍処理装置２０に持たせる）構成としてもよい。
【００４４】
また、書籍処理装置２０からデータセンター３０に書籍リストとページ画像データを送信し、データセンター３０がページ画像データから画像特徴情報を抽出する（すなわち、書籍処理装置２０の画像特徴抽出部２１ａの機能をデータセンター３０に持たせる）構成としてもよい。
【００４５】
次に、上記構成の書籍管理システム１０の概略動作について、図４及び図５を参照して説明する。なお、図４は、書籍管理システム１０の全体動作を示し、図５は、書籍処理装置２０とデータセンター３０の詳細動作を示している。
【００４６】
（１）まず、出版社端末５０は、出版済みの各書籍の各ページの原本画像データを、書籍のＩＳＢＮとともにデータセンター３０に送信する。データセンター３０は、各ページの原本画像データから画像特徴情報を抽出し、原本画像データと画像特徴情報と書籍のＩＳＢＮとを関連付けて書籍ＤＢに保存する。
【００４７】
（２）次に、ユーザは、自身を特定するユーザ情報を書店端末４０に登録し、書店はそのユーザ情報を記録した会員証を発行する。この会員証に磁気テープまたはＲＦＩＤ（Radio Frequency Identification）タグ等の記憶部を備える場合は、この記憶部にユーザ情報が記録され、このような記憶部を備えていない場合は、会員証の表面や裏面にユーザ情報が記述される。
【００４８】
（３）その後、ユーザは、書店で書籍を購入する。書店端末４０は、ユーザ情報に関連付けて書籍の購入履歴（書籍のＩＳＢＮや購入年月日、配送履歴など）を登録する。
【００４９】
（４）ユーザは購入した書籍の所定のページを書籍処理装置２０でコピーする場合は、コピーする前に、まず会員証に登録されたユーザ情報を書籍処理装置２０に入力する。例えば、書籍処理装置２０の操作部２４を操作して会員証に記載されたユーザ情報を入力したり、書籍処理装置２０に磁気テープリーダまたはＲＦＩＤリーダ等を備えている場合は、会員証からユーザ情報を直接読み取る。
【００５０】
（５）次に、ユーザは、書籍の所定のページを書籍処理装置２０の原稿ガラス上に置き、スキャナ部２５を用いてスキャンを行ない、所定のページのページ画像データを得る。書籍処理装置２０は、このページ画像データを解析して画像特徴情報を抽出する（画像特徴情報を抽出する方法は後述する）。
【００５１】
（６）次に、書籍処理装置２０は、ユーザが入力若しくは会員証から読み取ったユーザ情報を書店端末４０に送信する。なお、ユーザが複数の書店から書籍を購入している場合は、ユーザ情報を複数の書店端末４０に送信する。
【００５２】
（７）書店端末４０は、ユーザ情報を元に、そのユーザの書籍リスト（例えば、各書籍のＩＳＢＮを列記したリスト）と購入証明書を作成し、書籍処理装置２０に送信する。なお、書籍リストにはそのユーザが購入した全ての書籍を記載してもよいし、書籍の種類や購入年月日、配送業者の配送履歴などを用いて書籍を絞り込んでもよい。
【００５３】
（８）次に、書籍処理装置２０は、データセンター３０から公開鍵を入手する。
【００５４】
（９）次に、書籍処理装置２０は、その公開鍵で、１又は複数の書店端末４０から取得した購入証明書及び書籍リスト、ページ画像データから抽出した画像特徴情報及び書籍処理装置２０の公開鍵を暗号化した後、暗号化したデータをプロクシサーバを介してデータセンター３０に送る。
【００５５】
（１０）データセンター３０は、暗号化したデータを受信したら自身の公開鍵に対応する秘密鍵を用いて復号化する。そして、その書籍リストに記載された書籍の範囲で、書籍ＤＢに記憶した画像特徴情報と受信した画像特徴情報とを比較して、画像特徴情報が合致するページの原本画像データを検索し、書籍ＤＢから取り出す。
【００５６】
（１１）次に、データセンター３０は、書籍処理装置２０から取得した公開鍵を用いて、書籍ＤＢから取り出した原本画像データを暗号化し、書籍処理装置２０に送信する。
【００５７】
（１２）書籍処理装置２０は、自身の公開鍵に対応する秘密鍵を用いて暗号化された原本画像データを復号化し、印刷部２６を用いて復号化した原本画像データを印刷する。これにより、ユーザは鮮明な印刷物を得ることができる。
【００５８】
（１３）また、データセンター３０は、コピー履歴を集計し、その集計結果に基づいて複写権料の権利者への分配を行う。
【００５９】
なお、上記説明では、スキャンしたページ画像データから画像特徴情報を抽出する処理を書籍処理装置２０で行う構成としているが、上述したように、この画像特徴抽出処理をデータセンター３０で行うことも可能である。その場合、書籍処理装置２０は、画像特徴情報をデータセンター３０に送るのではなく、ページ画像データをデータセンター３０に送信し、データセンター３０は、受信したページ画像データから画像特徴情報を抽出する。
【００６０】
また、上記説明では、書籍処理装置２０は、購入証明書、書籍リスト、画像特徴情報を暗号化してデータセンター３０に送信し、データセンター３０は、原本画像データを暗号化して書籍処理装置２０に送信する構成としているが、これらのデータは必ずしも暗号化する必要はない。また、書店端末４０が発行した書籍リストが信用できる場合は、購入証明書を省略することもできる。
【００６１】
次に、画像特徴情報の抽出方法について、図６を参照して説明する。なお、ページ画像データから画像特徴情報を抽出する方法はいくつかあり、以下に示す方法はその一例である。
【００６２】
まず、図６（ａ）に示すように、カラー画像をＲＧＢまたはＣＭＹＫ成分に分解する（処理１）。次に、各々の成分（ここではＲ成分）について、Ｘ方向にｘ１，ｘ２，ｘ３，ｘ４…とスライスしてスキャンする（処理２）。
【００６３】
次に、図６（ｂ）に示すように、Ｒ成分の強度（濃度）を測定し、Ｘ方向の位置とＲ成分強度のデータを得る（処理３）。
【００６４】
次に、図６（ｃ）に示すように、その位置と強度のデータを周波数分解し、各スキャン（ｘ１，ｘ２，ｘ３…）の周波数分解を合成して、ページ画像全体のＲ成分におけるＸ方向の周波数分解データを得る。その周波数分解データの頂点の強度Ｐ０、頂点の周波数ｆ０，頂点の１／２の強度の位置の周波数ｆ１，ｆ２とする。そして、これらの値をそれぞれ、ＲＧＢまたはＣＭＹＫ成分のＸ方向とＹ方向で測定し、この値を画像特徴情報とする（処理４）。
【００６５】
次に、書籍処理装置２０の詳細動作について、図７のフローチャート図及び図５を参照して説明する。
【００６６】
ユーザは、操作部２４を操作して会員証に記載されたユーザ情報を入力したり、ＲＦＩＤタグ等を備えた会員証をＲＦＩＤリーダ等に読み取らせるなどして、ユーザ情報を入力すると、制御部２１は、入力されたユーザ情報を記憶部２２などに保存する（Ｓ１０１）。
【００６７】
次に、ユーザは、書籍の印刷したいページを原稿ガラス上に置き、操作部２４を操作してスキャンを指示すると、スキャナ部２５は、そのページをスキャンしてページ画像データを出力し、制御部２１は、そのページ画像データを記憶部２２などに保存する（Ｓ１０２）。
【００６８】
次に、制御部２１（画像特徴抽出部２１ａ）は、図６に示す手法などを用いて、ページ画像データから画像特徴情報を抽出し、画像特徴情報を記憶部２２などに保存する（Ｓ１０３）。
【００６９】
次に、制御部２１は、記憶部２２などに保存したユーザ情報を１又は複数の書店端末４０に送信する（Ｓ１０４）。
【００７０】
書店端末４０は、ユーザ情報を元にそのユーザの書籍リストを作成し、リストの正当性を証明する書店の購入証明書（電子情報的な証明書）とともに、書籍処理装置２０に送信する。書籍処理装置２０は、書籍リスト及び購入証明書を受信し、制御部２１は、その書籍リスト及び購入証明書を記憶部２２などに保存する（Ｓ１０５）。なお、書籍リスト及び購入証明書は暗号化して送信してもよい。
【００７１】
次に、制御部２１は、データセンター３０から公開鍵を受信する（Ｓ１０６）。
【００７２】
次に、制御部２１（データ処理部２１ｂ）は、書籍リスト、購入証明書、画像特徴情報、書籍処理装置２０の公開鍵をデータセンター３０の公開鍵で暗号化する（Ｓ１０７）。
【００７３】
次に、制御部２１は、データセンター３０に、暗号化された書籍リスト、購入証明書、画像特徴情報、書籍処理装置２０の公開鍵を送信する（Ｓ１０８）。
【００７４】
データセンター３０は、書籍リストで特定される書籍の各ページの中から、画像特徴情報が合致する原本画像データを検索し、その原稿画像データを書籍処理装置２０の公開鍵を用いて暗号化して書籍処理装置２０に送信する。制御部２１は、暗号化された原本画像データを受信する（Ｓ１０９）。
【００７５】
次に、制御部２１（データ処理部２１ｂ）は、暗号化された原本画像データを、書籍処理装置２０の秘密鍵で復号化する（Ｓ１１０）。
【００７６】
次に、制御部２１は、復号化された原本画像データを印刷部２６に転送し、印刷部２６は原本画像データを用いて印刷する（Ｓ１１１）。これにより、ユーザは原本画像データを元に印刷した鮮明な印刷物を得ることができる。
【００７７】
次に、データセンター３０の詳細動作について、図８のフローチャート図及び図５を参照して説明する。
【００７８】
制御部３１（データベース管理部３１ａ）は、出版社端末５０から出版済みの各書籍の各ページの原本画像データとＩＳＢＮを受信し、各ページの原本画像データを解析して画像特徴情報を抽出した後、それらを関連付けて記憶部３２の書籍ＤＢに保存する（Ｓ２０１）。
【００７９】
次に、制御部３１は、書籍処理装置２０に、データセンター３０の公開鍵を送信する（Ｓ２０２）。
【００８０】
次に、制御部３１は、書籍処理装置２０から、暗号化された書籍リスト、購入証明書、画像特徴情報、書籍処理装置２０の公開鍵を受信する（Ｓ２０３）。
【００８１】
次に、制御部３１（データ処理部３１ｂ）は、データセンター３０の秘密鍵で、暗号化された書籍リスト、購入証明書、画像特徴情報、書籍処理装置２０の公開鍵を復号化する（Ｓ２０４）。
【００８２】
次に、制御部３１（データベース管理部３１ａ）は、購入証明書を確認して書籍リストの正当性を確認し、さらに書籍リストを元に検索対象とする書籍を絞り込む（Ｓ２０５）。
【００８３】
次に、制御部３１（データベース管理部３１ａ）は、絞り込んだ書籍の、各ページの画像特徴情報を書籍ＢＤから取り出す（Ｓ２０６）。
【００８４】
次に、制御部３１（データベース管理部３１ａ）は、取り出した画像特徴情報と、書籍処理装置２０から受信した画像特徴情報とを比較して、画像特徴情報が一致するページを特定する（Ｓ２０７）。
【００８５】
次に、制御部３１（データベース管理部３１ａ）は、特定したページに対応する原本画像データを書籍ＤＢから取り出す（Ｓ２０８）。
【００８６】
次に、制御部３１は、書籍処理装置２０の公開鍵で、原本画像データを暗号化し、書籍処理装置２０に送信する（Ｓ２０９）。
【００８７】
次に、制御部３１は、原本画像データの照会記録を元に、複写権料を分配する（Ｓ２１０）。
【００８８】
このように、書籍のページをコピーする際に、スキャンした画像ではなく、製本時の鮮明な原本画像データをデータセンター３０からダウンロードして印刷することで、書籍のページが汚れていた場合や、マーカなどでページに書き込みをした場合でも、鮮明な印刷物を得ることができる。
【００８９】
また、
（１）書籍処理装置２０は、ユーザ名が記載されていない購入リストを、データセンター３０に送る。
（２）購入リストにユーザ名が記載されていなくとも、書店が購入（所有）の正当性を保証する購入証明書を、購入リストに付けて、データセンター３０に送る。
（３）よって、ユーザ名がなくてもデータセンター３０はその購入リストを信頼する。
（４）書籍処理装置２０は、送信元ＩＰアドレスを秘匿するために、プロクシサーバを介してデータセンター３０と通信する。
（５）よってデータセンター３０は書籍処理装置の身元も、ユーザの身元も知りえない。というユーザのプライバシーを保護する仕組みを採用することにより、データセンター３０に対してユーザを秘匿することができ、また、この仕組みにより、データセンター３０にコピーの実態が集積されるため、実態に応じた複写権利の管理を行なうことができる。
【００９０】
なお、本発明は上記実施例に限定されるものではなく、本発明の趣旨を逸脱しない限りにおいて、その構成や制御は適宜変更可能である。
【００９１】
例えば、近年、書籍を電子書籍として購入する場合もあり、その場合、ユーザは各ページのページ画像データを保有しているが、電子書籍は閲覧を前提にしたものであり、印刷する場合には十分な解像度が得られない場合もある。そこで、この場合には、スキャナ部２５で読み取ったページ画像データの代わりに電子書籍のページ画像データを用いて原本画像データを取得することもできる。
【産業上の利用可能性】
【００９２】
本発明は、書籍のページを読み取るスキャナ機能を備える装置、及び、当該装置と書籍の原本画像データを管理するサーバとを含むシステム、並びに、当該システムを用いて書籍の所定のページの原本画像データを取得する方法に利用可能である。
【符号の説明】
【００９３】
１０  書籍管理システム
２０  書籍処理装置
２１  制御部
２１ａ  画像特徴抽出部
２１ｂ  データ処理部
２２  記憶部
２３  表示部
２４  操作部
２５  スキャナ部
２６  印刷部
２７  通信Ｉ／Ｆ部
３０  データセンター
３１  制御部
３１ａ  データベース管理部
３１ｂ  データ処理部
３２  記憶部
３３  通信Ｉ／Ｆ部
４０  書店端末
５０  出版社端末
【図１】
2012022607.tif 000003
【図２】
2012022607.tif 000004
【図３】
2012022607.tif 000005
【図４】
2012022607.tif 000006
【図５】
2012022607.tif 000007
【図６】
2012022607.tif 000008
【図７】
2012022607.tif 000009
【図８】
2012022607.tif 000010